(57)【要約】  第１無線通信装置（１０）は、第２無線通信装置（２０）と無線通信を行う第１通信部と、接続を行うための接続信号に第１付加情報を付加する第１付加部とを備える。第２無線通信装置（２０）は、第１無線通信装置（１０）と無線通信を行う第２通信部と、第１無線通信装置（１０）との接続を要求する接続要求信号に、第１付加情報とは異なる第２付加情報を付加する第２付加部とを備える。第２通信部は、第１付加情報が付加された接続信号を第１通信部から受信した場合、第２付加情報が付加された接続要求信号を第１無線通信装置（１０）に送信する。そして、第１通信部は、第２付加情報が付加された接続要求信号を第２通信部から受信した場合、接続要求信号に応答するための接続応答信号を第２無線通信装置（２０）に送信して第２無線通信装置（２０）からデータを受信する。
2018142803.tif 000002
【特許請求の範囲】
【請求項１】
データの受信を行う第１無線通信装置と、
前記データの送信を行う第２無線通信装置とを備え、
前記第１無線通信装置は、
前記第２無線通信装置と無線通信を行う第１通信部と、
接続を行うための接続信号に第１付加情報を付加する第１付加部と、
を備え、
前記第２無線通信装置は、
前記第１無線通信装置と無線通信を行う第２通信部と、
前記第１無線通信装置との接続を要求する接続要求信号に、前記第１付加情報とは異なる第２付加情報を付加する第２付加部と、
を備え、
前記第２通信部は、
前記第１付加情報が付加された前記接続信号を前記第１通信部から受信した場合、前記第２付加情報が付加された前記接続要求信号を前記第１無線通信装置に送信し、
前記第１通信部は、
前記第２付加情報が付加された前記接続要求信号を前記第２通信部から受信した場合、前記接続要求信号に応答するための接続応答信号を前記第２無線通信装置に送信して前記第２無線通信装置から前記データを受信する
無線通信システム。
【請求項２】
前記第１付加情報は、前記第１無線通信装置が有する特定の情報であり、
前記第２付加情報は、前記第２無線通信装置が有する特定の情報である
請求項１に記載の無線通信システム。
【請求項３】
前記第１無線通信装置は、暗号化部を備え、
前記第２無線通信装置は、復号部を備え、
前記暗号化部は、前記接続要求信号に付加された前記第２付加情報を暗号化し、
前記第１付加部は、前記暗号化された第２付加情報を前記接続応答信号に付加し、
前記第１通信部は、前記暗号化された第２付加情報が付加された前記接続応答信号を前記第２無線通信装置に送信し、
前記復号部は、前記暗号化された第２付加情報を復号して復号情報を生成し、
前記第２通信部は、
前記第２付加部が付加した前記第２付加情報と、前記復号部が生成した前記復号情報とが一致した場合、前記データを前記第１無線通信装置に送信する
請求項１または２に記載の無線通信システム。
【請求項４】
前記第２通信部は、
前記第２付加部が付加した前記第２付加情報と、前記復号部が生成した前記復号情報とが一致した場合、鍵交換要求信号を前記第１無線通信装置に送信し、
前記第２無線通信装置は、
前記鍵交換要求信号の送信を開始してから前記データの送信を終了するまで、前記第１無線通信装置以外の他の装置からの信号を受け付けない
請求項３に記載の無線通信システム。
【請求項５】
前記第１無線通信装置は、ユーザの指示を受け付ける指示部を備え、
前記第１通信部は、前記指示部がユーザの指示を受け付けたときに、前記接続信号としてビーコン信号を前記第２無線通信装置に送信する
請求項１から４のいずれか１項に記載の無線通信システム。
【請求項６】
前記第１無線通信装置は、記憶媒体と接続されており、
前記第２通信部は、
前記記憶媒体に関する情報と、前記第２無線通信装置が有する記憶媒体情報とが一致した場合、前記データを前記第１無線通信装置に送信する
請求項１から５のいずれか１項に記載の無線通信システム。
【請求項７】
前記第１無線通信装置は、
前記記憶媒体に関する情報と、前記記憶媒体情報とが一致しない場合、前記第２無線通信装置との接続処理を終了する、
請求項６に記載の無線通信システム。
【請求項８】
前記第２無線通信装置は、撮影装置と接続されており、
前記データは、前記撮影装置によって撮影された撮影データであり、
前記第２通信部は、前記撮影装置から前記撮影データを受信して、前記撮影データを前記第１無線通信装置に送信する
請求項１から７のいずれか１項に記載の無線通信システム。
【請求項９】
前記第１通信部および前記第２通信部は、指向性を有する無線通信方式を用いて無線通信を行う
請求項１から８のいずれか１項に記載の無線通信システム。
【請求項１０】
データ送信装置からデータを受信する無線通信装置であって、
前記データ送信装置と無線通信を行う通信部と、
接続を行うための接続信号に第１付加情報を付加する付加部と、
を備え、
前記通信部は、
前記第１付加情報が付加された前記接続信号を送信した後、前記第１付加情報とは異なる第２付加情報が付加された接続要求信号を前記データ送信装置から受信した場合、前記接続要求信号に応答するための接続応答信号を前記データ送信装置に送信して前記データ送信装置から前記データを受信する
無線通信装置。
【請求項１１】
ユーザの指示を受け付ける指示部を備え、
前記通信部は、前記指示部がユーザの指示を受け付けたときに、前記接続信号としてビーコン信号を前記データ送信装置に送信する
請求項１０に記載の無線通信装置。
【請求項１２】
データ受信装置にデータを送信する無線通信装置であって、
前記データ受信装置と無線通信を行う通信部と、
前記データ受信装置との接続を要求する接続要求信号に、第２付加情報を付加する付加部と、
を備え、
前記通信部は、
前記第２付加情報とは異なる第１付加情報が付加された接続信号を前記データ受信装置から受信した場合、前記付加部によって前記第２付加情報が付加された前記接続要求信号を前記データ受信装置に送信し、
前記接続要求信号に応答するための接続応答信号を前記データ受信装置から受信した場合、前記データを前記データ受信装置に送信する
無線通信装置。
【発明の詳細な説明】
【技術分野】
【０００１】
本開示は、無線通信システムおよび無線通信装置に関する。
【背景技術】
【０００２】
特許文献１に開示される従来の無線通信システムでは、無線監視カメラが定期的に接続信号であるビーコン信号を送信する。
【先行技術文献】
【特許文献】
【０００３】
【特許文献１】特開２００９−２１９０８３号公報
【発明の概要】
【０００４】
本開示は、無線を用いたデータ通信において通信の信頼性を高めるための無線通信システムおよび無線通信装置を提供する。
【０００５】
本開示における無線通信システムは、データの受信を行う第１無線通信装置と、データの送信を行う第２無線通信装置とを備える。第１無線通信装置は、第２無線通信装置と無線通信を行う第１通信部と、接続を行うための接続信号に第１付加情報を付加する第１付加部とを備える。第２無線通信装置は、第１無線通信装置と無線通信を行う第２通信部と、第１無線通信装置との接続を要求する接続要求信号に、第１付加情報とは異なる第２付加情報を付加する第２付加部とを備える。第２通信部は、第１付加情報が付加された接続信号を第１通信部から受信した場合、第２付加情報が付加された接続要求信号を第１無線通信装置に送信する。そして、第１通信部は、第２付加情報が付加された接続要求信号を第２通信部から受信した場合、接続要求信号に応答するための接続応答信号を第２無線通信装置に送信して第２無線通信装置からデータを受信する。
【０００６】
また、本開示における無線通信装置は、データ送信装置からデータを受信する無線通信装置であって、データ送信装置と無線通信を行う通信部と、接続を行うための接続信号に第１付加情報を付加する付加部とを備える。通信部は、第１付加情報が付加された接続信号を送信した後、第１付加情報とは異なる第２付加情報が付加された接続要求信号をデータ送信装置から受信した場合、接続要求信号に応答するための接続応答信号をデータ送信装置に送信してデータ送信装置からデータを受信する。
【０００７】
また、本開示における別の無線通信装置は、データ受信装置にデータを送信する無線通信装置であって、データ受信装置と無線通信を行う通信部と、データ受信装置との接続を要求する接続要求信号に、第２付加情報を付加する付加部とを備える。通信部は、第２付加情報とは異なる第１付加情報が付加された接続信号をデータ受信装置から受信した場合、付加部によって第２付加情報が付加された接続要求信号をデータ受信装置に送信する。そして、通信部は、接続要求信号に応答するための接続応答信号をデータ受信装置から受信した場合、データをデータ受信装置に送信する。
【０００８】
本開示における無線通信システムおよび無線通信装置は、無線を用いたデータ通信において通信の信頼性を高めることができる。
【図面の簡単な説明】
【０００９】
【図１】図１は、実施の形態１に係る無線通信システム１の外観の一例を示す側面図である。
【図２】図２は、実施の形態１に係る無線通信システム１におけるデータ受信装置１０の一例を示す構成図である。
【図３】図３は、実施の形態１に係る無線通信システム１におけるデータ送信装置２０の一例を示す構成図である。
【図４】図４は、実施の形態１に係る無線通信システム１の動作の一例を示すシーケンス図である。
【図５】図５は、実施の形態１に係る無線通信システム１におけるデータ受信装置１０の動作の一例を示すフロー図である。
【図６】図６は、実施の形態１に係る無線通信システム１におけるデータ送信装置２０の動作の一例を示すフロー図である。
【図７】図７は、従来の無線通信システム２の外観の一例を示す側面図である。
【図８】図８は、従来の無線通信システム２の動作の一例を示すシーケンス図である。
【図９】図９は、実施の形態２に係る無線通信システム３におけるデータ受信装置５０の一例を示す構成図である。
【図１０】図１０は、実施の形態２に係る無線通信システム３におけるデータ送信装置６０の一例を示す構成図である。
【図１１】図１１は、実施の形態２に係る無線通信システム３の動作の一例を示すシーケンス図である。
【図１２】図１２は、実施の形態２に係る無線通信システム３におけるデータ受信装置５０の動作の一例を示すフロー図である。
【図１３】図１３は、実施の形態２に係る無線通信システム３におけるデータ送信装置６０の動作の一例を示すフロー図である。
【図１４】図１４は、実施の形態３に係る無線通信システム４の外観の一例を示す側面図である。
【図１５】図１５は、実施の形態３に係る無線通信システム４の外観の一例を示す上面図である。
【図１６】図１６は、実施の形態４に係る無線通信システム５の動作の一例を示すシーケンス図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１１】
なお、添付図面および以下の説明は、当業者が本開示を十分に理解するために提供されるのであって、これらにより請求の範囲に記載の主題を限定することは意図されていない。
【００１２】
（実施の形態１）
以下、図１から図８を用いて、本実施の形態を説明する。
【００１３】
［１−１．構成］
図１は、本実施の形態１に係る無線通信システム１の外観の一例を示す側面図である。
【００１４】
図１において、無線通信システム１は、データ受信装置１０（第１無線通信装置の一例）と、データ送信装置２０（第２無線通信装置の一例）と、撮影装置２１とを有する。
【００１５】
データ受信装置１０は、無線通信機能を持つアクセスポイント端末（ＡＰ）である。データ受信装置１０は、例えばＰＣ、タブレット、スマートフォンなどの通信装置である。そのため、データ受信装置１０は、接続信号としてビーコン信号をデータ送信装置２０に送信することで、データ送信装置２０との間で接続処理を行う。そして、データ受信装置１０は、接続処理が完了した後にユーザがデータ受信装置１０を操作することで、データ送信装置２０に記憶されている撮影データをダウンロードすることができる。
【００１６】
データ送信装置２０は、無線通信機能を持つ無線通信端末（ＳＴＡ）である。そのため、データ送信装置２０は、データ受信装置１０から接続信号としてビーコン信号を受信する。そして、データ送信装置２０は、接続処理を完了させることで、記憶した撮影データをデータ受信装置１０に送信することができる。
【００１７】
撮影装置２１は、例えば監視カメラであり、撮影した画像をデータに変換してデータ送信装置２０に送信する。撮影装置２１は、例えばＬＡＮ（Ｌｏｃａｌ  Ａｒｅａ  Ｎｅｔｗｏｒｋ）ケーブルを介して、データ送信装置２０と接続される。撮影装置２１は、ＬＡＮケーブルを介してデータ送信装置２０から給電されてもよい。なお、撮影装置２１は、撮影部として、データ送信装置２０に内蔵されていてもよい。
【００１８】
なお、データ送信装置２０は、例えば街頭の柱、店の入り口、駅構内などにおいて、一般の人の手の届かない高さに設置するとよい。これは、撮影データが保存されるデータ送信装置２０を通行人に破壊されたり、データ送信装置２０の撮影データを盗まれたりしないようにするためである。このようにデータ送信装置２０を設置することでセキュリティを向上することができる。特に、撮影装置２１が監視カメラである場合、データ送信装置２０に記憶される撮影データは街頭を撮影した撮影データであり、人物などを不特定に撮影する秘匿データである。このことから、プライバシー等の問題を考慮するために、データ送信装置２０は、一般の人の手の届かない高さに設置するとよい。
【００１９】
次に、図２は、本実施の形態に係る無線通信システム１におけるデータ受信装置１０の一例を示す構成図である。
【００２０】
図２において、データ受信装置１０は、通信部１１（第１通信部の一例）と、指示部１２と、記憶部１３と、制御部１４と、選択部１５と、表示部１６と、第１付加部１７と、第１判定部１８と、暗号化部１９とを有する。
【００２１】
通信部１１は、無線通信方式におけるパケットを送受信する。無線通信方式としては、例えばＷｉＧｉｇ（Ｗｉｒｅｌｅｓｓ  Ｇｉｇａｂｉｔ）（登録商標）とＷｉ−Ｆｉ（登録商標）を用いてもよい。そのため、通信部１１は、ＷｉＧｉｇにおける通信ではＷｉＧｉｇパケットを送受信し、Ｗｉ−Ｆｉにおける通信ではＷｉ−Ｆｉパケットを送受信する。なお、それぞれの無線通信方式は、無線信号を送受信するためのアンテナと、無線信号制御回路と、をそれぞれ設けることで実現される。そのため、通信部１１は、ＷｉＧｉｇ通信部と、Ｗｉ−Ｆｉ通信部とを有していてもよい。また、ＷｉＧｉｇ通信部と、Ｗｉ−Ｆｉ通信部とは、共用できる部分については共通化する構成でもよい。
【００２２】
ここで、ＷｉＧｉｇおよびＷｉ−Ｆｉについて説明する。
【００２３】
ＷｉＧｉｇは、高い周波数帯（６０ＧＨｚ帯）を有する。そのため、ＷｉＧｉｇは、直進性があり、指向性を有する無線通信方式である。また、ＷｉＧｉｇの電波は、壁、窓などの遮蔽物を透過せず、減衰しやすいため、通信範囲が狭く、限られる。
【００２４】
これに対して、Ｗｉ−Ｆｉは、比較的低い周波数帯（２．４ＧＨｚ帯、５ＧＨｚ帯など）を有する。そのため、Ｗｉ−Ｆｉは、指向性を有しない無線通信方式である。また、Ｗｉ−Ｆｉの電波は、壁、窓等の遮蔽物を透過し、通信範囲がＷｉＧｉｇに比べて広い。
【００２５】
指示部１２は、ユーザの指示を受け付ける。指示部１２は、例えば、表示部１６上に配置されたタッチパネルである。この場合、ユーザの指示とは、例えば、タッチパネルに対するユーザのタッチ操作である。指示部１２は、ユーザの指示を受け付けるスイッチなどであってもよい。
【００２６】
記憶部１３は、通信部１１を介してデータ送信装置２０から受信した撮影データを記憶する。具体的には、記憶部１３は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの記憶デバイスで構成される。
【００２７】
制御部１４は、データ受信装置１０を制御しており、例えば通信部１１及び記憶部１３を制御する。具体的には、制御部１４は、通信部１１を介してデータ送信装置２０から送信された撮影データを受信すること、通信部１１を介してデータ送信装置２０から送信された撮影データを記憶部１３に記憶することなどを制御する。
【００２８】
また、指示部１２がユーザの指示を受け付けた場合、制御部１４は、通信部１１にビーコン信号を送信させる。具体的には、例えばユーザがデータ送信装置２０から撮影データを取得したい場合、データ送信装置２０とデータ受信装置１０との間で接続処理を行う必要がある。この場合、ユーザが指示部１２を操作することで、データ受信装置１０はビーコン信号を送信することができる。これにより、データ受信装置１０は、データ送信装置２０との接続処理を開始することができる。
【００２９】
なお、通信部１１は、データ送信装置２０の管理情報を取得するために管理情報要求信号をデータ送信装置２０に送信してもよい。その結果、通信部１１は、データ送信装置２０の管理情報を取得することができる。そして、記憶部１３は、その管理情報の中からユーザが選択した撮影データを記憶してもよい。
【００３０】
選択部１５は、通信部１１から受信した管理情報をもとに、ユーザが選択可能なように情報を提示し、ユーザが選択した情報をデータ送信装置２０に返す。例えば指示部１２がタッチパネルであった場合、表示部１６は、管理情報をもとに、チェックボックス付きのリストを表示する。そして、選択部１５は、チェックボックスにユーザがチェックを入れることで、チェックされた撮影データをデータ送信装置２０に返す。なお、管理情報にサムネイルなどの画像があれば、該当の画像をチェックボックスと合わせて表示してもよい。
【００３１】
なお、制御部１４は、データ受信装置１０に表示部１６を設けることで、データ送信装置２０に対してビーコン信号の送信を指示してもよい。または、表示部１６は、リストを表示するようにしてもよい。また、表示部１６は、指示部１２においてユーザが選択したデータを表示してもよい。
【００３２】
第１付加部１７は、データ送信装置２０に送信するビーコン信号に第１付加情報を付加する。
【００３３】
第１判定部１８は、データ送信装置２０から受信する接続要求信号に第２付加情報が付加されているかどうかを判定する。
【００３４】
暗号化部１９は、第１判定部１８が接続要求信号に第２付加情報が付加されていると判定したときに、第２付加情報を暗号化する。
【００３５】
以上に説明した、制御部１４、選択部１５、第１付加部１７、第１判定部１８および暗号化部１９の全部または一部は、集積回路により実現されてもよいし、集積回路が記憶部１３に記憶されたプログラムを実行することにより実現されてもよい。
【００３６】
次に、図３は、本実施の形態１に係る無線通信システム１におけるデータ送信装置２０の一例を示す構成図である。
【００３７】
図３において、データ送信装置２０は、記憶部２２と、通信部２３（第２通信部の一例）と、制御部２４と、第２判定部２５と、第２付加部２６と、復号部２７とを有する。
【００３８】
記憶部２２は、撮影装置２１（図１参照）から取得した画像データを記憶する。具体的には、記憶部２２は、ＲＯＭ、ＲＡＭなどの記憶デバイスで構成される。
【００３９】
通信部２３は、データ受信装置１０における通信部１１と同様の構成であるため、詳細は割愛する。通信部２３は、撮影装置２１の撮影データをＬＡＮパケットで受信することができる。
【００４０】
制御部２４は、通信部２３及び記憶部２２を制御する。具体的には、制御部２４は、撮影装置２１によって撮影された撮影データを記憶部２２へ記憶すること、通信部２３を介して記憶部２２に記憶される撮影データをデータ受信装置１０へ送信することなどを制御する。制御部２４は、演算ユニット及び演算ユニット上で実行されるソフトウェア等から構成される。
【００４１】
また、通信部２３は、データ受信装置１０からの管理情報要求信号を受信し、要求された管理情報をデータ受信装置１０に送信してもよい。ここで、管理情報とは、記憶部２２に記憶されている撮影装置２１による撮影データの一覧である。具体的には、管理情報とは、カメラＩＤ（カメラ名、カメラの製造番号など）、日時などのリスト情報であり、サムネイル画像を含んでいてもよい。
【００４２】
第２判定部２５は、データ受信装置１０から受信するビーコン信号に第１付加情報が付加されているかどうかを判定する。また、第２判定部２５は、復号部２７によって復号された情報が第２付加情報であるかどうかを判定する。
【００４３】
第２付加部２６は、データ受信装置１０に送信するビーコン信号に第２付加情報を付加する。
【００４４】
復号部２７は、データ受信装置１０から受信する接続応答信号に付加された暗号化された第２付加情報を復号する。
【００４５】
また、通信部２３は、データ受信装置１０が要求する選択情報を受信し、記憶部２２に記憶されている撮影データの中から選択された撮影データをデータ受信装置１０に送信してもよい。
【００４６】
ここで、選択情報とは、上記リスト情報の中からデータ受信装置１０においてユーザが選択した情報である。ユーザは、上記リスト情報の中から１つの撮影データ（１つの項目）を選んでもよいし、複数の撮影データ、または全ての撮影データを選んでもよい。
【００４７】
以上に説明した、制御部２４、第２判定部２５、第２付加部２６および復号部２７の全部または一部は、集積回路により実現されてもよいし、集積回路が記憶部２２に記憶されたプログラムを実行することにより実現されてもよい。
【００４８】
［１−２．動作］
図４は、本実施の形態１に係る無線通信システム１の動作の一例を示すシーケンス図である。
【００４９】
データ送信装置２０において通信部２３を起動する。そして、通信部２３は、データ受信装置１０からビーコン信号が発信されていないかどうかを確認するためのスキャンを行う（Ｓ１０１）。なお、スキャンを行う間隔は、例えば１秒などにするとよい。具体的には、２ｃｈ、３ｃｈの順にスキャンを行い、１秒の待ち時間後に、再びスキャンを行うことを繰り返してもよい。
【００５０】
これに対し、データ受信装置１０において指示部１２がユーザの指示を受け付けた場合、制御部１４は、データ送信装置２０にビーコン信号を送信するための指示を出す（Ｓ１０２）。そして、データ受信装置１０において第１付加部１７は、ビーコン信号に対して第１付加情報を付加する（Ｓ１０３）。そして、通信部１１はビーコン信号を送信する（Ｓ１０４）。ただし、ビーコン信号はブロードキャストにて送信される。このとき、制御部１４が指示を出すタイミングは、指示部１２がユーザからの指示を受けたときでもよいし、データ受信装置１０の電源を起動したとき、または、撮影データを受信するためのアプリケーションを起動したときでもよい。
【００５１】
本実施の形態１において送信されるビーコン信号には第１付加情報が付加されている。この第１付加情報は、データ送信装置２０において解析可能なデータ受信装置１０が有する特定の情報であり、例えば、データ受信装置１０のＭＡＣ（Ｍｅｄｉａ  Ａｃｃｅｓｓ  Ｃｏｎｔｒｏｌ）アドレスなどを組み合わせて生成したハッシュ値などである。なお、第１付加情報は、データ受信装置１０が有する情報でもよいし、データ受信装置１０によって加工された情報であってもよい。
【００５２】
なお、ビーコン信号に付加された第１付加情報は、例えば、ビーコン信号の後またはビーコン信号の前に送信される。すなわち、ビーコン信号に付加された第１付加情報は、ビーコン信号とは独立の情報である。
【００５３】
通信部２３がデータ受信装置１０から送信されたビーコン信号を受信すると、データ送信装置２０の第２判定部２５は、ビーコン信号に含まれる第１付加情報を判定する（Ｓ１０５）。第２判定部２５の結果によって、第２付加部２６は、接続要求信号に第２付加情報を付加する（Ｓ１０６）。そして、通信部２３はデータ受信装置１０に対して第２付加情報が付加された接続要求信号を送信する（Ｓ１０７）。
【００５４】
本実施の形態において送信される接続要求信号は、第２付加情報を含む。この第２付加情報は、データ受信装置１０において暗号化可能なデータ送信装置２０が有する特定の情報であり、例えば、データ送信装置２０で生成される任意のデータを暗号化したものなどである。なお、第２付加情報は第１付加情報とは異なる情報である。
【００５５】
なお、接続要求信号に付加された第２付加情報は、例えば、接続要求信号の後または接続要求信号の前に送信される。
【００５６】
通信部１１がデータ送信装置２０から送信された接続要求信号を受信すると、第１判定部１８は、接続要求信号に第２付加情報が付加されているかどうかを判定する（Ｓ１０８）。第１判定部１８による判定の結果によって、暗号化部１９は、接続要求信号に含まれる第２付加情報を暗号化する（Ｓ１０９）。そして、通信部１１は、暗号化された第２付加情報（暗号化情報）が付加された接続応答信号をデータ送信装置２０に送信する（Ｓ１１０）。
【００５７】
なお、暗号化情報は、暗号化した情報に限定されるものではなく、第２付加情報を加工した情報であってもよい。暗号化情報は、例えば、データ受信装置１０が有する情報と第２付加情報とを用いて生成された第２付加情報に関連する情報であってもよい。
【００５８】
通信部２３がデータ受信装置１０から送信された接続応答信号を受信すると、第２判定部２５は、接続応答信号に暗号化された第２付加情報（暗号化情報）が付加されているかどうかを判定する（Ｓ１１１）。そして、復号部２７は接続応答信号に含まれる暗号化された第２付加情報（暗号化情報）を復号する（Ｓ１１２）。すなわち、復号部２７は、暗号化情報を復号して復号情報を生成する。暗号化された第２付加情報（暗号化情報）を復号した結果によって、データ送信装置２０はデータ受信装置１０との鍵交換を行うための状態に遷移する（Ｓ１１３）。第２判定部２５は、暗号化された第２付加情報（暗号化情報）を復号したものが、第２付加情報として付加した情報と一致しているか否かを判定する。そして、その判定結果に応じて、データ送信装置２０は、データ受信装置１０との鍵交換を行うための状態に遷移する。すなわち、第２付加部２６が付加した第２付加情報と、復号部２７が生成した復号情報とが一致した場合、データ送信装置２０は鍵交換状態へ遷移する。
【００５９】
また、暗号化情報が、データ受信装置１０が有する情報と第２付加情報とを用いて生成された第２付加情報に関連する情報であれば、データ送信装置２０は、データ受信装置１０が有する情報と第２付加情報を分離させる。そして、データ送信装置２０は、分離した第２付加情報が付加された第２付加情報と一致しているかに応じて、データ受信装置１０との鍵交換を行うための状態に遷移すればよい。
【００６０】
そして、通信部２３は、データ受信装置１０に対して無線区間の通信データを暗号化するための鍵交換要求信号を送信する（Ｓ１１４）。鍵交換を行う状態に遷移されたデータ送信装置２０は、鍵交換要求を送信したデータ受信装置１０との間で鍵交換処理を行う（Ｓ１１５）。
【００６１】
この鍵交換処理として、例えば４ｗａｙ−ＨａｎｄＳｈａｋｅなどのような鍵交換処理を用いてもよい。
【００６２】
鍵交換処理が完了後、データ送信装置２０は、通信部２３を介して撮影データを暗号化データとしてデータ受信装置１０に送信する（Ｓ１１６）。ここで、撮影データは、記憶部２２に記憶されている。これにより、データ受信装置１０は通信部１１を介してデータ送信装置２０から撮影データを暗号化データとして受信し、記憶部１３に撮影データを記憶する。
【００６３】
なお、データ送信装置２０における撮影データの送信、または、データ受信装置１０における撮影データの受信には、機器間の暗号化通信であるＷＳＤ（ＷｉＧｉｇ  ＳＤ  Ｅｘｔｅｎｓｉｏｎ）を用いてもよい。
【００６４】
また、鍵交換処理を開始してからデータ受信装置１０との接続を終了するまで、データ送信装置２０は、接続処理を行うデータ受信装置以外の他の装置からの信号の受信を受け付けないようにしてもよい。すなわち、データ送信装置２０は、鍵交換要求信号の送信を開始してから、撮影データの送信を終了するまで、データ受信装置１０以外の他の装置からの信号を受け付けないようにしてもよい。
【００６５】
次に、図５は、本実施の形態に係る無線通信システム１におけるデータ受信装置１０の動作の一例を示すフロー図である。
【００６６】
まず、データ送信装置２０と通信を行うために、通信部１１がビーコン信号の送信指示を受け付ける。第１付加部１７は、ビーコン信号に第１付加情報を付加する（Ｓ２０１）。データ受信装置１０において通信部１１は、第１付加情報が付加されたビーコン信号をデータ送信装置２０に対して送信する（Ｓ２０２）。
【００６７】
その後、通信部１１は、データ送信装置２０から送信された接続要求信号を受信する（Ｓ２０３）。
【００６８】
通信部１１が接続要求信号を受信した後、第１判定部１８は、接続要求信号にデータ送信装置２０側の付加情報である第２付加情報が付加されているかどうかを判定する（Ｓ２０４）。接続要求信号に第２付加情報が付加されている場合（Ｓ２０４でＹｅｓ）、データ受信装置１０の暗号化部１９は、第２付加情報を暗号化する（Ｓ２０５）。一方、接続要求信号に第２付加情報が付加されていない場合（Ｓ２０４でＮｏ）、接続要求信号に対する応答を実施しない。
【００６９】
第２付加情報を暗号化した後、通信部１１は、第２付加情報を暗号化した情報（暗号化情報）が付加された接続応答信号をデータ送信装置２０に送信する（Ｓ２０６）。
【００７０】
その後、通信部１１は、鍵交換状態へ遷移する（Ｓ２０７）。そして、通信部１１は、鍵交換要求信号を受信する（Ｓ２０８）。そして、データ受信装置１０は、データ送信装置２０との間で鍵交換処理を行う（Ｓ２０９）。鍵交換処理を終えた後、通信部１１は、データ送信装置２０からデータを受信する（Ｓ２１０）。
【００７１】
なお、鍵交換処理に失敗した場合、接続要求待ち状態へ遷移する。
【００７２】
そして、データを受信し終えた後、データ受信装置１０は、ビーコン信号の送信に係る一連の処理を終了する。
【００７３】
次に、図６は、本実施の形態に係る無線通信システム１におけるデータ送信装置２０の動作の一例を示すフロー図である。
【００７４】
まず、データ受信装置１０からのビーコン信号を随時受信できるようにするため、通信部２３は、データ受信装置１０からビーコン信号が発信されているかどうかを確認するために随時スキャンを行う（Ｓ３００）。そして、データ送信装置２０は、スキャンによってビーコン信号を受信する（Ｓ３０１）。なお、ビーコン信号を受信しない場合、データ送信装置２０は、再度、時間間隔を設けながらビーコン信号を受信するためのスキャンを行う。
【００７５】
通信部２３がビーコン信号を受信した場合、データ送信装置２０における第２判定部２５は、ビーコン信号にデータ受信装置１０側で付加された情報である第１付加情報が付加されているかどうかを判定する（Ｓ３０２）。なお、ビーコン信号に第１付加情報が付加されていない場合（Ｓ３０２でＮｏ）、ステップＳ３００に戻る。そして、通信部２３は、再度、時間間隔を設けながらビーコン信号を受信するためのスキャンを行う。
【００７６】
ビーコン信号に第１付加情報が付加されている場合（Ｓ３０２でＹｅｓ）、データ送信装置２０における第２付加部２６は、データ送信装置２０に特有の情報である第２付加情報を接続要求信号に付加する（Ｓ３０３）。そして、通信部２３は、第２付加情報が付加された接続要求信号をデータ受信装置１０に対して送信する（Ｓ３０４）。
【００７７】
その後、通信部２３は、接続応答信号を受信する（Ｓ３０５）。なお、接続要求信号を受信しない場合、通信部２３は、再度、時間間隔を設けながらビーコン信号を受信するためのスキャンを行ってもよい。
【００７８】
接続応答信号を受信後、データ送信装置２０における第２判定部２５は、接続応答信号に暗号化された第２付加情報（暗号化情報）が付加されているかどうかを判定する（Ｓ３０６）。なお、接続応答信号に暗号化情報が付加されていない場合（Ｓ３０６でＮｏ）、通信部２３は、ステップＳ３００に戻り、再度、ビーコン信号を受信するためのスキャンを行う。
【００７９】
接続応答信号に暗号化情報が付加されている場合（Ｓ３０６でＹｅｓ）、復号部２７は、暗号化情報を復号するための認証を行い、復号処理を行う（Ｓ３０７）。なお、復号に失敗した場合、例えば通信部２３は、再度、時間間隔を設けながらビーコン信号を受信するためのスキャンを行ってもよい。
【００８０】
復号に成功した場合、データ送信装置２０は、鍵交換処理を行うための状態に遷移する（Ｓ３０８）。そして、データ送信装置２０は、鍵交換処理を行う（Ｓ３０９）。なお、鍵交換処理に失敗した場合、通信部２３は、再度、ビーコン信号を受信するためのスキャンを行ってもよい。
【００８１】
鍵交換処理が成功すると、データ送信装置２０は、データ受信装置１０に対して撮影データを送信する（Ｓ３１０）。その後、ステップＳ３００に戻り、通信部２３は、再びスキャンを行う。
【００８２】
［１−３．効果等］
まず、従来の監視カメラにおける無線通信システムについて説明する。
【００８３】
図７は、従来の監視カメラにおける無線通信システム２の外観の一例を示す側面図である。
【００８４】
従来の無線通信システム２では、データ受信装置３０が無線通信機能を持つ無線通信端末（ＳＴＡ）であり、データ送信装置４０が無線通信機能を持つアクセスポイント端末（ＡＰ）である。
【００８５】
図８は、従来の無線通信システム２の動作の一例を示すシーケンス図である。
【００８６】
まず、データ送信装置４０は、ビーコン信号を随時送信する（Ｓ４０１）。
【００８７】
データ送信装置４０から送信されたビーコン信号をデータ受信装置３０が受信すると、データ受信装置３０は、ビーコン信号から取得した通信情報に基づいて通信制御を行う。そして、データ受信装置３０およびデータ送信装置４０は鍵交換状態に遷移する（Ｓ４０２）。
【００８８】
次に、データ受信装置３０は、データ送信装置４０に対して鍵交換要求信号を送信する（Ｓ４０３）。そして、データ受信装置３０とデータ送信装置４０との間で鍵交換処理を行う（Ｓ４０４）。
【００８９】
鍵交換処理が完了すると、データ送信装置４０は、データ受信装置３０に対して撮影データを送信する（Ｓ４０５）。
【００９０】
このように、従来の無線通信システム２では、データ送信装置４０がビーコン信号を送信し、データ受信装置３０との接続処理に遷移する。これでは、データ送信装置４０が、撮影データを送信すべきでない他のデータ受信装置３０との接続処理を行ってしまう恐れや、他者から接続に関して傍受されてしまう恐れなどが生じる。すなわち、信頼性が問題となる。
【００９１】
そこで、本実施の形態における無線通信システム１では、データ送信装置２０が無線通信機能を持つ無線通信端末であり、データ受信装置１０が無線通信機能を持つアクセスポイント端末とした。そのため、従来の無線通信システム２のように、データ送信装置２０は、データ受信装置１０からの接続要求信号を受信するために随時ビーコン信号を送信することがない。すなわち、従来のデータ受信装置３０ではデータ送信装置２０からビーコン信号を受信することがなく、データ送信装置２０と無線通信することが困難である。すなわち、データ受信装置１０でなければ、データ送信装置２０と無線通信することが困難である。これにより、本実施の形態における無線通信システム１は信頼性を向上できる。
【００９２】
また、データ受信装置１０における第１付加部１７は、ビーコン信号に第１付加情報を付加することとした。そして、データ送信装置２０は、データ受信装置１０が送信したビーコン信号に対して第１付加情報が付加されているかどうかを判定することとした。すなわち、データ送信装置２０は、第１付加情報が付加されているビーコン信号を送信するデータ受信装置１０でなければ接続処理を行うことができない。また、従来の無線通信装置においてはビーコン信号の存在については確認することができたとしても、第１付加情報の付加については確認することが困難である。そのため、本実施の形態におけるデータ送信装置２０は、データ受信装置１０以外の無線通信装置と接続されることを抑制できる。これにより、本実施の形態における無線通信システム１は信頼性を向上できる。
【００９３】
また、本実施の形態１における無線通信システム１では、データ受信装置１０が、接続要求信号に第２付加情報が付加されているかどうかを判定することとした。すなわち、データ受信装置１０は、第２付加情報が付加されている接続要求信号を送信するデータ送信装置２０でなければ接続処理を行うことができない。そのため、本実施の形態におけるデータ送信装置２０は、データ受信装置１０以外の無線通信装置と接続されることを抑制できる。これにより、本実施の形態における無線通信システム１は信頼性を向上できる。
【００９４】
特に、本実施の形態では、データ送信装置２０がビーコン信号に第１付加情報が付加されているかどうかを判定し、データ受信装置１０では接続要求信号に第２付加情報が付加されているかどうかを判定している。そのため、データ送信装置２０はデータ受信装置１０が接続対象であるかどうかを判定し、さらにデータ受信装置１０もデータ送信装置２０が接続対象であるかどうかを判定している。すなわち、特定のデータ送信装置２０と特定のデータ受信装置１０が相互に接続対象かどうかを判定している。そのため、本実施の形態における無線通信システム１は、より確実な接続対象の中でデータの送受信を行うことができる。
【００９５】
また、従来の無線通信システム２では、データ送信装置４０が定期的にビーコン信号を送信し、データ受信装置３０が、データ送信装置４０から送信されたビーコン信号を受信する。これでは、データ送信装置４０から送信されるビーコン信号を傍受されてしまう恐れがある。また、無線機能を有することが発見され、セキュリティの担保が問題となる。
【００９６】
そこで、本実施の形態では、データ送信装置２０が無線通信機能を持つ無線通信端末であり、データ受信装置１０が無線通信機能を持つアクセスポイント端末とした。さらにデータ受信装置１０が指示部１２を有することで、ビーコン信号は、データ受信装置１０のユーザが画像データを受信したいときにのみ送信される。すなわち、本実施の形態における無線通信システム１では、データ受信装置１０は、必要なときにビーコン信号を送信することができる。また、データ受信装置１０は、必要でないときはビーコン信号を送信することがない。そのため、本実施の形態における無線通信システム１では、特定の期間のみにビーコン信号が送信されるため、ビーコン信号を他者から傍受されることを抑制できる。これにより、本実施の形態１における無線通信システム１は信頼性を向上できる。
【００９７】
また、無線通信システム１におけるデータ受信装置１０とデータ送信装置２０との無線通信方式には、指向性を有する無線通信方式を用いるとよい。指向性を有する無線通信方式を用いることで、ビーコン信号、撮影データなどを送受信することができる範囲を限定させることができる。そのため、さらにビーコン信号を他者から傍受されることを抑制できる。
【００９８】
また、無線通信システム１における鍵交換処理の開始からデータ受信装置１０との接続を終了するまでにおいて、データ送信装置２０は接続処理を行うデータ受信装置１０以外からの信号の受信を受け付けないようにしてもよい。これにより、無線通信システム１における１つのデータ受信装置１０と１つのデータ送信装置２０の１対１通信を行うため、データ送信装置２０は、他の無線通信装置との誤接続、他の無線通信装置からの妨害などを防止することができる。
【００９９】
また、通信部１１は、指示部１２がユーザの指示を受け付けたときのみに、接続信号としてビーコン信号をデータ送信装置２０に送信してもよい。これにより、ビーコン信号が送信される期間がユーザによって制限されるため、さらに無線通信における信頼性を向上することができる。
【０１００】
（実施の形態２）
以下、図９から図１３を用いて、本実施の形態を説明する。
【０１０１】
［２−１．構成］
図９は、本実施の形態に係る無線通信システム３（図１１参照）におけるデータ受信装置５０の一例を示す構成図である。本実施の形態に係るデータ受信装置５０は、図２における記憶部１３に記憶媒体５３１が接続されている点で実施の形態１に係るデータ受信装置１０とは異なる。ゆえに、本実施の形態に係るデータ受信装置５０における通信部５１、指示部５２、記憶部５３、制御部５４、選択部５５、表示部５６、第１付加部５７、第１判定部５８、暗号化部５９のそれぞれは、実施の形態１に係るデータ受信装置１０における通信部１１、指示部１２、記憶部１３、制御部１４、選択部１５、表示部１６、第１付加部１７、第１判定部１８、暗号化部１９と同様の構成である。
【０１０２】
記憶媒体５３１は、データ送信装置６０から受信した撮影データを一時記憶しており、記憶媒体を識別するための記憶媒体情報（第１記憶媒体情報）を有する。記憶媒体５３１は、ＮＡＮＤ型フラッシュメモリなどの記憶デバイスで構成される。
【０１０３】
図１０は、本実施の形態に係る無線通信システム３におけるデータ送信装置６０の一例を示す構成図である。本実施の形態に係るデータ送信装置６０は、図３における記憶部２２に記憶媒体６２１が接続されている点で実施の形態１に係るデータ送信装置２０とは異なる。ゆえに、本実施の形態に係るデータ送信装置６０における記憶部６２、通信部６３、制御部６４、第２判定部６５、第２付加部６６、復号部６７のそれぞれは、実施の形態１に係るデータ送信装置２０における記憶部２２、通信部２３、制御部２４、第２判定部２５、第２付加部２６、復号部２７と同様の構成である。また、本実施の形態において、データ送信装置６０は、撮影部６１を備えている点で、データ送信装置２０と異なる。撮影部６１は、撮影装置２１と同様の構成であるが、データ送信装置６０に内蔵される点で撮影装置２１と異なる。
【０１０４】
記憶媒体６２１は、記憶部６２に記憶される撮影データを一時的に記憶することが可能であり、記憶媒体６２１を識別することができる識別情報（第２記憶媒体情報）を有する。また、記憶媒体６２１は、ＮＡＮＤ型フラッシュメモリなどの記憶デバイス等で構成される。なお、データ送信装置６０は、記憶媒体６２１を抜き差し可能な挿入口を有していても良い。また、データ送信装置６０は挿入口を有していなくてもよい。記憶媒体６２１を記憶部６２に埋め込んでもよい。
【０１０５】
［２−２．動作］
図１１は、本実施の形態に係る無線通信システム３の動作の一例を示すシーケンス図である。
【０１０６】
データ送信装置６０において制御部６４は、記憶部６２における記憶媒体６２１から記憶媒体情報を取得する（Ｓ５０１）。なお、制御部６４は、記憶媒体情報を、例えば記憶媒体６２１が記憶部６２に挿入された時点で取得すればよい。
【０１０７】
次に、制御部６４は、通信部６３の起動を指示する。そして、制御部６４から指示を受け取ると、通信部６３は、データ受信装置５０からビーコン信号が発信されていないかどうかを確認するためにスキャンを行う（Ｓ５０２）。なお、スキャンを行う間隔は、例えば１５０マイクロ秒などにするとよい。すなわち、通信部６３は、例えば２ｃｈ、３ｃｈの順にスキャンを行い、１５０マイクロ秒の待ち時間後に、再びスキャンを行うことを繰り返してもよい。
【０１０８】
これに対し、データ受信装置５０において制御部５４は、記憶部５３における記憶媒体５３１に対して記憶媒体情報を取得する（Ｓ５０３）。なお、制御部５４は、記憶媒体情報を、例えば記憶媒体５３１が記憶部５３に挿入された時点で取得すればよい。
【０１０９】
次に、制御部５４はデータ送信装置６０にビーコン信号を送信するための指示を出す（Ｓ５０４）。第１付加部５７はビーコン信号に対して第１付加情報および記憶媒体５３１の記憶媒体情報を付加する（Ｓ５０５）。そして、通信部５１はデータ送信装置６０に対して第１付加情報および記憶媒体５３１の記憶媒体情報が付加されたビーコン信号を送信する（Ｓ５０６）。
【０１１０】
このとき、制御部５４が指示を出すタイミングは、指示部５２がユーザからの指示を受けたときでもよいし、データ受信装置５０の電源を起動したときでもよいし、アプリケーションを起動したときでもよい。
【０１１１】
本実施の形態におけるビーコン信号は、本実施の形態１と同様に第１付加情報を含むだけでなく、記憶媒体情報も含む。この第１付加情報は、データ送信装置６０において解析可能なデータ受信装置５０に特有の情報であり、例えば、データ受信装置５０のＭＡＣアドレスなどを組み合わせて生成したハッシュ値などである。なお、第１付加情報は、データ受信装置５０が有する情報でもよいし、データ受信装置５０によって加工された情報であってもよい。
【０１１２】
通信部６３がデータ受信装置５０から送信されたビーコン信号を受信すると、第２判定部６５はビーコン信号に含まれる第１付加情報を判定する（Ｓ５０７）。さらに、制御部６４は、ビーコン信号に含まれた記憶媒体５３１の記憶媒体情報と、記憶部６２から取得した記憶媒体６２１の記憶媒体情報とが一致するかどうかを照合する（Ｓ５０８）。そして、第１付加情報を解析した結果および記憶媒体情報を照合した結果によって、第２付加部６６は、接続要求信号に対して第２付加情報を付加する。そして、第２通信部６３はデータ受信装置５０に対して第２付加情報が付加された接続要求信号を送信する（Ｓ５１０）。
【０１１３】
本実施の形態における接続要求信号には、本実施の形態１と同様に第２付加情報が付加されている。この第２付加情報は、データ受信装置１０において暗号化可能なデータ送信装置６０に特有の情報であり、例えば、データ送信装置６０で生成される任意のデータを暗号化したものである。なお、第２付加情報は第１付加情報とは異なる情報である。
【０１１４】
なお、接続要求信号に付加された第２付加情報は、例えば、接続要求信号の後または接続要求信号の前に送信される。
【０１１５】
通信部５１はデータ送信装置６０から送信された接続要求信号を受信すると、第１判定部５８は、接続要求信号に第２付加情報が含まれているかどうかを判定する（Ｓ５１１）。そして、暗号化部５９は、接続要求信号に含まれる第２付加情報を暗号化する（Ｓ５１２）。その後、通信部５１は、暗号化された第２付加情報（暗号化情報）が付加された接続応答信号をデータ送信装置６０に送信する（Ｓ５１３）。
【０１１６】
なお、暗号化情報は、暗号化した情報に限定されるものではなく、第２付加情報を加工した情報であってもよい。暗号化情報は、例えば、データ受信装置５０が有する情報と第２付加情報とを用いて生成された第２付加情報に関連する情報であってもよい。
【０１１７】
通信部６３がデータ受信装置５０から送信された接続応答信号を受信すると、第２判定部６５は接続応答信号に暗号化情報が付加されているかどうかを判定する（Ｓ５１４）。そして、第２判定部６５の判定結果によって、復号部６７は、暗号化情報を復号する（Ｓ５１５）。その後、データ送信装置６０およびデータ受信装置５０は鍵交換を行うための状態に遷移する（Ｓ５１６）。第２判定部６５は、暗号化された第２付加情報（暗号化情報）を復号したものが、第２付加情報として付加した情報と一致しているか否かを判定する。そして、その判定結果に応じて、データ送信装置６０は、データ受信装置５０との鍵交換を行うための状態に遷移する。
【０１１８】
また、暗号化情報が、データ受信装置５０が有する情報と第２付加情報とを用いて生成された第２付加情報に関連する情報であれば、データ送信装置６０は、データ受信装置５０が有する情報と第２付加情報を分離させる。そして、第２判定部６５は、分離した第２付加情報が付加された第２付加情報と一致しているか否かを判定する。そして、データ送信装置６０は、その判定結果に応じて、データ受信装置５０との鍵交換を行うための状態に遷移すればよい。
【０１１９】
鍵交換状態へ遷移した後、通信部６３は、データ受信装置５０に対して無線区間の通信データを暗号化するための鍵交換要求信号を送信する（Ｓ５１７）。鍵交換を行う状態に遷移されたデータ送信装置６０は、鍵交換要求を送信したデータ受信装置５０との間で鍵交換処理を行う（Ｓ５１８）。
【０１２０】
この鍵交換処理として、例えば４ｗａｙ−ＨａｎｄＳｈａｋｅなどのような鍵交換処理を用いてもよい。
【０１２１】
鍵交換処理が完了後、データ送信装置６０は、通信部６３を介して記憶部６２に記憶される撮影データを送信する（Ｓ５１９）。
【０１２２】
データ受信装置５０は、通信部５１を介してデータ送信装置６０から撮影データを受信し、記憶部５３に撮影データを記憶する。
【０１２３】
なお、データ送信装置６０における撮影データの送信、または、データ受信装置５０における撮影データの受信には、機器間の暗号化通信であるＷＳＤ（ＷｉＧｉｇ  ＳＤ  Ｅｘｔｅｎｓｉｏｎ）を用いてもよい。
【０１２４】
また、鍵交換処理を開始してからデータ受信装置との接続を終了するまで、データ送信装置は接続処理を行うデータ受信装置以外の他の装置からの信号の受信を受け付けないようにしてもよい。
【０１２５】
次に、図１２は、本実施の形態に係る無線通信システム３におけるデータ受信装置５０の動作の一例を示すフロー図である。
【０１２６】
まず、制御部５４が、記憶部５３における記憶媒体５３１から記憶媒体情報を取得する（Ｓ６００）。データ送信装置６０と通信を行うために、制御部５４は、通信部５１に対してビーコン信号の送信を指示する（Ｓ６０１）。なお、制御部５４は、記憶媒体情報を、データ受信装置５０起動時、記憶媒体５３１の挿入時などに取得するとよい。
【０１２７】
制御部５４からビーコン信号送信指示を取得すると、第１付加部５７は、第１の付加情報および記憶媒体５３１から取得した記憶媒体情報をビーコン信号に付加する（Ｓ６０２）。通信部５１は、データ送信装置６０に対してビーコン信号を送信する（Ｓ６０３）。
【０１２８】
その後、通信部５１は、データ送信装置６０から送信された接続要求信号を受信する（Ｓ６０４）。
【０１２９】
通信部５１が接続要求信号を受信した後、第１判定部５８は、接続要求信号にデータ送信装置６０の付加情報である第２付加情報が付加されているかどうかを判定する（Ｓ６０５）。接続要求信号に第２付加情報が付加されている場合（Ｓ６０５でＹｅｓ）、データ受信装置５０の暗号化部５９は、第２付加情報を暗号化する（Ｓ６０６）。一方、接続要求信号に第２付加情報が付加されていない場合（Ｓ６０５でＮｏ）、接続要求信号に対する応答を実施しない。
【０１３０】
第２付加情報を暗号化した後、通信部５１は、第２付加情報を暗号化した情報（暗号化情報）が付加された接続応答信号をデータ送信装置６０に送信する（Ｓ６０７）。
【０１３１】
その後、通信部５１は鍵交換状態へ遷移する（Ｓ６０８）。そして、通信部５１は、鍵交換要求信号を受信する（Ｓ６０９）。さらに、データ受信装置５０は、データ送信装置６０との間で鍵交換処理を行う（Ｓ６１０）。なお、鍵交換処理に失敗した場合、データ送信装置６０は接続要求待ち状態へ遷移する。
【０１３２】
鍵交換処理を終えた後、データ受信装置５０はデータを受信し、受信したデータを記憶部５３に記憶する（Ｓ６１１）。
【０１３３】
そして、データを受信し終えた後、データ受信装置５０は、ビーコン信号の送信に係る一連の処理を終了する。
【０１３４】
次に、図１３は、本実施の形態２に係る無線通信システム３におけるデータ送信装置６０の動作の一例を示すフロー図である。
【０１３５】
まず、制御部６４は、記憶部６２における記憶媒体６２１から記憶媒体情報を取得する。そして、データ受信装置５０からのビーコン信号を随時受信できるようにするため、通信部６３は、データ受信装置５０からビーコン信号が発信されているかどうかを確認するために随時スキャンを行う（Ｓ７００）。なお、制御部６４は、記憶媒体情報を、データ受信装置５０起動時、記憶媒体６２１の挿入時などに取得するとよい。
【０１３６】
そして、データ送信装置６０は、スキャンによってビーコン信号を受信したかどうかを判断する（Ｓ７０１）。なお、ビーコン信号を受信しない場合、データ送信装置６０は、再度、時間間隔を設けながらビーコン信号を受信するためのスキャンを行ってもよい。
【０１３７】
通信部６３がビーコン信号を受信した場合、第２判定部６５は、ビーコン信号に第１付加情報が付加されているかどうかを判定する（Ｓ７０２）。なお、ビーコン信号に第１付加情報が付加されていない場合（Ｓ７０２でＮｏ）、ステップＳ７００に戻る。そして、通信部６３は、再度、時間間隔を設けながらビーコン信号を受信するためのスキャンを行う。
【０１３８】
そして、ビーコン信号に第１付加情報が付加されている場合、第２判定部６５は、ビーコン信号に付加される記憶媒体５３１における記憶媒体情報を解析する。そして、第２判定部６５は、記憶媒体５３１における記憶媒体情報と、記憶媒体６２１における記憶媒体情報とが一致するかどうかを判定する（Ｓ７０３）。ビーコン信号に記憶媒体情報が付加されていない、または、ビーコン信号に付加される記憶媒体情報が記憶媒体６２１における記憶媒体情報と一致しない場合（Ｓ７０３でＮｏ）、ステップＳ７００に戻る。そして、通信部６３は、再度、時間間隔を設けながらビーコン信号を受信するためのスキャンを行う。
【０１３９】
そして、ビーコン信号に付加される記憶媒体情報と記憶媒体５３１における記憶媒体情報とが一致する場合（Ｓ７０３でＹｅｓ）、第２付加部６６は第２付加情報を接続要求信号に付加する（Ｓ７０４）。そして、通信部６３は第２付加情報が付加された接続要求信号をデータ受信装置５０に対して送信する（Ｓ７０５）。
【０１４０】
その後、通信部６３は、接続応答信号を受信する（Ｓ７０６）。接続要求信号を受信しない場合、通信部６３は、再度、時間間隔を設けながらビーコン信号を受信するためのスキャンを行ってもよい。
【０１４１】
接続応答信号を受信後、第２判定部６５は、接続応答信号に第２の付加情報を暗号化した情報（暗号化情報）が付加されているかどうかを判定する（Ｓ７０７）。接続応答信号に暗号化情報が付加されていない場合（Ｓ７０７でＮｏ）、通信部６３は、ステップＳ７００に戻る。そして、通信部６３は、再度、ビーコン信号を受信するためのスキャンを行う。
【０１４２】
そして、接続応答信号に暗号化情報が付加されている場合（Ｓ７０７でＹｅｓ）、復号部６７は、データ受信装置５０側の付加情報を復号する（Ｓ７０８）。なお、復号処理が失敗する場合、通信部６３は、再度、ビーコン信号を受信するためのスキャンを行ってもよい。
【０１４３】
復号した後、データ送信装置６０は、鍵交換処理を行うための状態に遷移する（Ｓ７０９）。そして、データ送信装置６０は、鍵交換処理を行う（Ｓ７１０）。なお、鍵交換処理が失敗した場合、通信部６３は、再度、ビーコン信号を受信するためのスキャンを行ってもよい。
【０１４４】
鍵交換処理が成功すると、データ送信装置６０は、撮影データの送信を開始する（Ｓ７１１）。その後、撮影データの送信を終了し、ステップＳ７００に戻り、通信部６３は、再びスキャンを行う。
【０１４５】
［２−３．効果等］
本実施の形態のように、データ受信装置５０に対して記憶媒体５３１が接続され、データ送信装置６０に対して記憶媒体６２１が接続される。各々の記憶媒体が有する記憶媒体情報が一致するかどうかを照合することで、記憶媒体情報が一致しないデータ受信装置５０とデータ送信装置６０の間では、接続処理が行えないようにすることができる。すなわち、データ受信装置５０は、記憶媒体５３１における記憶媒体情報と、記憶媒体６２１における記憶媒体情報とが一致した場合、データ送信装置６０との接続処理を終了してもよい。これにより、特定のデータ受信装置５０とデータ送信装置６０でなければ、撮影データの送受信が行えないようにすることができる。そのため、信頼性を向上することができる。
【０１４６】
（実施の形態３）
実施の形態１および２における無線通信システム１および３では、監視カメラにおける形態を示したが、これらは一例である。本開示を、例えば、列車における車両間の無線通信システムにおいて適用してもよい。
【０１４７】
図１４は、本実施の形態に係る無線通信システム４の外観の一例を示す側面図である。図１４では、車両７０の進行方向側を前側とし、進行方向側とは反対側を後側とする。
【０１４８】
図１４に示すように、通信装置８０は、各車両７０の対向面９０に設けられる。対向面９０は、２両の車両７０のうち一方の車両７０までの距離が近い領域である。一方の車両７０の対向面９０は、他方の車両７０の対向面と対向している。対向面９０は、各車両７０が互いに対向する領域であり、車両７０の後方端および前方端の領域である。なお、通信装置８０は、車両７０が最先頭車両である場合には、後方端の対向面９０のみに設けられてもよい。また、通信装置８０は、車両７０が最後尾車両である場合には、前方端の対向面９０のみに設けられてもよい。
【０１４９】
なお、本実施の形態による車両７０とは、他の車両と連結されており、線路のような軌道に沿って走行する鉄道車両などを指す。
【０１５０】
図１５は、本実施の形態に係る無線通信システム４の外観の一例を示す上面図である。
【０１５１】
図１５では、車両７０の進行方向側を前側とし、進行方向側とは反対側を後側とする。そして、車両７０の進行方向側を向いたときの右側を右側とし、左側を左側とする。
【０１５２】
図１５に示すように、本実施の形態では、誤作動や誤動作などの障害が発生した場合でも安全に各車両を制御できるように、車両７０間に２つの無線経路が設けられる。そのため、無線通信システム４では、対向する車両７０間の対向面９０において、一方の車両７０の対向面９０に２つの通信装置８０が設けられる。また、他方の車両７０の対向面９０には、一方の車両７０に設けられた２つの通信装置８０と対向する位置に２つの通信装置８０が設けられる。
【０１５３】
具体的には、１つ目の通信装置８０は、図１５に示される車両７０の中心仮想線Ｃ１よりも右側に設けられる。また、車両７０の中心仮想線Ｃ１よりも左側に２つ目の通信装置８０が設けられる。
【０１５４】
このように、無線通信システム４では、一方の車両７０に設けられた１つの通信装置８０と、他方の車両７０に設けられた１つの通信装置８０とが対向する位置に設けられる。これにより、無線通信システム４は、２つの無線経路を有し、２つの無線経路のうち、いずれか１つの無線経路を用いて車両７０間の通信を行う。
【０１５５】
なお、本実施の形態では、各車両７０の一方側の対向面９０に設けられる通信装置８０を２個とした。しかし、各車両７０の一方側の対向面９０に設けられる通信装置８０の個数は、２個に限定されるものではなく、１個であってもよいし、３個以上であってもよい。
【０１５６】
この構成に加え、実施の形態１または２と同様の構成を加え、実施の形態１または２と同様の動作を行うことで、車両７０間におけるデータ通信を行うことができる。
【０１５７】
なお、車両７０間における無線通信システム４においては、撮影部は必ずしも必要ではない。また、データについても撮影データに限定されるものではない。
【０１５８】
なお、車両７０間における無線通信システム４においては、指示部は必ずしも必要ではない。また、通信装置８０は起動時にビーコン信号を送信する構成であってもよい。
【０１５９】
本実施の形態における無線通信システム４は、対向し合う２つの通信装置８０に対して、付加情報が付加されているかどうかを判定し、その上で接続処理を行う。そのため、対向し合わない通信装置８０との誤接続を抑制することができる。
【０１６０】
これにより、特定の装置間でなければ、データの送受信が行えないようにすることができる。そのため、信頼性を向上することができる。
【０１６１】
（実施の形態４）
実施の形態４に係る無線通信システム５の動作を、図１６を用いて説明する。なお、本実施の形態において、実施の形態１と同様の構成要素および動作には、実施の形態１と同様の符号を付している。
【０１６２】
図１６は、実施の形態４に係る無線通信システム５の動作の一例を示すシーケンス図である。無線通信システム５は、データ受信装置１０と、データ送信装置２０と、撮影装置２１（図１参照）とを備える。図１６に示すシーケンスは、ステップＳ１０９、ステップＳ１１１およびステップＳ１１２の動作を含まない点で、図４に示すシーケンスと異なる。これに伴って、本実施の形態に係るデータ受信装置１０は、暗号化部１９（図２参照）を備えなくてもよい。同様に、本実施の形態に係るデータ送信装置２０は、復号部２７（図３参照）を備えなくてもよい。
【０１６３】
本実施の形態に係るシーケンスを、以下に説明する。
【０１６４】
データ受信装置１０およびデータ送信装置２０は、ステップＳ１０１からステップＳ１０８までの動作を行う。ステップＳ１０８の動作の後、データ受信装置１０は、第２付加情報を暗号化することなく、接続応答信号をデータ送信装置２０に送信する（Ｓ１１０）。すなわち、本実施の形態において、接続応答信号には、暗号化された第２付加情報は付加されていない。
【０１６５】
接続応答信号を受信したデータ送信装置２０は、鍵交換状態へ遷移する（Ｓ１１３）。すなわち、データ送信装置２０は、鍵交換要求信号をデータ受信装置１０に送信する（Ｓ１１４）。そして、データ受信装置１０およびデータ送信装置２０は、実施の形態１と同様にステップＳ１１５およびステップＳ１１６の動作を行う。
【０１６６】
以上のように、本開示に係る無線通信システム５は、第２付加情報の暗号化、および、暗号化された第２付加情報の復号を行うことなく、データの送受信を行う。このような構成であっても、ユーザが所持するデータ受信装置１０からビーコン信号が送信されるため、無線通信における信頼性を向上することができる。
【０１６７】
（他の実施形態）
実施の形態１から３における動作の順序はこれに限定されるものではない。
【０１６８】
例えば、実施の形態２において、データ送信装置６０は、データ受信装置５０から送信されたビーコン信号に第１付加情報が付加されているか否かを判定した。その後、データ送信装置６０は、ビーコン信号に付加される記憶媒体情報と、データ送信装置６０に含まれる記憶媒体６２１における記憶媒体情報とが一致するかどうかを判定する。しかしながら、データ送信装置６０は、データ受信装置５０から送信されたビーコン信号に付加される記憶媒体情報と、データ送信装置６０に含まれる記憶媒体６２１における記憶媒体情報とが一致するかどうかを照合し、一致した場合にビーコン信号に第１付加情報が付加されるかどうかを解析してもよい。
【０１６９】
また、実施の形態２において、制御部６４は、ビーコン信号に含まれた記憶媒体５３１の記憶媒体情報と、記憶部６２から取得した記憶媒体６２１の記憶媒体情報とが一致するかどうかを照合した。しかし、本開示はこれに限定されない。記憶媒体６２１は、記憶部６２に接続されていなくてもよい。その代わりに、記憶部６２が、記憶媒体５３１に関する情報を格納していてもよい。この場合、第２判定部６５は、ビーコン信号に含まれた記憶媒体５３１に関する情報を取得する。そして、第２判定部６５は、取得された記憶媒体５３１に関する情報と、データ送信装置６０の記憶部６２が有する記憶媒体５３１に関する情報（記憶媒体情報）とが一致するか否かを判定する。そして、記憶媒体５３１に関する情報と、データ送信装置６０が有する記憶媒体情報とが一致した場合、通信部６３は、撮影データをデータ受信装置５０に送信してもよい。また、記憶媒体５３１に関する情報と、データ送信装置６０が有する記憶媒体情報とが一致しない場合、データ受信装置５０は、データ送信装置６０との接続処理を終了してもよい。このような構成であっても、無線通信における信頼性を向上することができる。
【０１７０】
また、実施の形態１から３におけるビーコン信号については、データ通信を終了するまで定期的にビーコン信号が送受信される。そのため、第１付加情報を常に付加してビーコン信号を送信してもよい。同様に実施の形態２では第１付加情報に加え、記憶媒体情報も常に付加してビーコン信号を送信してもよい。例えば、実施の形態１では、データ受信装置１０がデータ送信装置２０にビーコン信号を送信する際に、第１付加情報を常に付加してビーコン信号を送信してもよい。
【０１７１】
また、実施の形態１から３における無線通信では、１対１でのみデータ通信可能にする方が好ましい。例えば、実施の形態１では、データ受信装置１０とデータ送信装置２０とは、１対１でのみデータ通信可能にする方が好ましい。これにより、データ送信装置２０が通信を望まない他のデータ受信装置１０との誤接続を抑制することができる。
【０１７２】
また、実施の形態１の無線通信システム１では、データ受信装置１０が暗号化部１９を有し、データ送信装置２０が復号部２７を有していた。しかし、本開示に係る無線通信システムはこの構成に限定されない。本開示に係る無線通信システムにおいて、データ送信装置が暗号化部を有しており、データ受信装置が復号部を有していてもよい。この場合、データ送信装置の暗号化部が第１付加情報を暗号化し、データ受信装置の復号部が暗号化された第１付加情報を復号して復号情報を生成する。そして、第１判定部が、ビーコン信号に付加した第１付加情報と復号情報とが一致するか否かを判定する。一致した場合、第１判定部は、暗号化された第１付加情報が付加された接続要求信号を認証する。このような構成であっても、無線通信における信頼性を向上することができる。
【０１７３】
以上のように、本開示における技術の例示として、実施の形態１から４を説明した。そのために、添付図面および詳細な説明を提供した。
【０１７４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７５】
また、上述の実施の形態は、本開示における技術を例示するためのものであるから、請求の範囲またはその均等の範囲において種々の変更、置き換え、付加、省略などを行うことができる。
【産業上の利用可能性】
【０１７６】
本開示は、監視カメラ、列車車両間通信システムなどのデータの送受信を行う無線通信システムに適用可能である。
【符号の説明】
【０１７７】
１，２，３，４，５  無線通信システム
１０，３０，５０  データ受信装置（第１無線通信装置）
１１，５１  通信部（第１通信部）
１２，５２  指示部
１３，２２，５３，６２  記憶部
１４，２４，５４，６４  制御部
１５，５５  選択部
１６，５６  表示部
１７，５７  第１付加部
１８，５８  第１判定部
１９，５９  暗号化部
２０，４０，６０  データ送信装置（第２無線通信装置）
２１  撮影装置
２３，６３  通信部（第２通信部）
２５，６５  第２判定部
２６，６６  第２付加部
２７，６７  復号部
６１  撮影部
７０  車両
８０  通信装置
９０  対向面
５３１  記憶媒体（第１記憶媒体）
６２１  記憶媒体（第２記憶媒体）
【図１】
2018142803.tif 000003
【図２】
2018142803.tif 000004
【図３】
2018142803.tif 000005
【図４】
2018142803.tif 000006
【図５】
2018142803.tif 000007
【図６】
2018142803.tif 000008
【図７】
2018142803.tif 000009
【図８】
2018142803.tif 000010
【図９】
2018142803.tif 000011
【図１０】
2018142803.tif 000012
【図１１】
2018142803.tif 000013
【図１２】
2018142803.tif 000014
【図１３】
2018142803.tif 000015
【図１４】
2018142803.tif 000016
【図１５】
2018142803.tif 000017
【図１６】
2018142803.tif 000018
【国際調査報告】
2018142803.tif 000019
2018142803.tif 000020
2018142803.tif 000021
2018142803.tif 000022